(57)【要約】  ボトル及び反転可能蓋を備える再閉鎖システム。ボトル（１００ａ〜１００ｅ）は、軸方向に伸長するボトル首部（４ａ〜４ｅ）と、ボトル（１００ａ〜１００ｅ）の内部へのアクセスを提供する口部（６ａ〜６ｅ）とを備える。ボトル首部（４ａ〜４ｅ）は、第１係合手段（７ａ〜７ｅ）を備える周方向壁部分（５ａ〜５ｅ）を備える。反転可能蓋（２００ａ〜２００ｅ）はボトル首部（４ａ〜４ｅ）に取り外し可能に接続されるように構成される。反転可能蓋（２００ａ〜２００ｅ）の第１側（２１ａ〜２１ｅ）は、第２係合手段（２７ａ〜２７ｅ）を備える襟部（２３ａ〜２３ｅ）を備え、第２係合手段（２７ａ〜２７ｅ）は、第２係合手段（２７ａ〜２７ｅ）がボトル首部（４ａ〜４ｅ）の第１係合手段（７ａ〜７ｅ）に係合することによって、反転可能蓋（２００ａ〜２００ｅ）がボトル首部（４ａ〜４ｅ）の口部（６ａ〜６ｅ）を密封するように閉鎖することを選択的に可能にするように構成される。第１側（２１ａ〜２１ｅ）とは反対側の反転可能蓋（２００ａ〜２００ｅ）の第２側（２２ａ〜２２ｅ）は、ボトル首部（４ａ〜４ｅ）に選択的に係合するように構成される第３係合手段（３０ａ〜３０ｅ）を備える。第３係合手段（３０ａ〜３０ｅ）がボトル首部（４ａ〜４ｅ）に係合する状態において、通り抜け通気穴（８ａ〜８ｅ）が反転可能蓋（２００ａ〜２００ｅ）とボトル首部（４ａ〜４ｅ）との間の接合部分内に画定され、上記通り抜け通気穴（８ａ〜８ｅ）は、ボトル（１００ａ〜１００ｅ）の内部と雰囲気との間の連通（Ａ；Ｂ）を可能にする。【選択図】図９ｃ
2020523110.tif 000002
【特許請求の範囲】
【請求項１】
ボトル及び反転可能蓋を備える再閉鎖システムであって、
前記ボトル（１００ａ〜１００ｅ）は、軸方向に伸長するボトル首部（４ａ〜４ｅ）と、前記ボトル（１００ａ〜１００ｅ）の内部へのアクセスを提供する口部（６ａ〜６ｅ）とを備え、前記ボトル首部（４ａ〜４ｅ）は、第１係合手段（７ａ〜７ｅ）を備える周方向壁部分（５ａ〜５ｅ）を更に備え、
前記反転可能蓋（２００ａ〜２００ｅ）は前記ボトル首部（４ａ〜４ｅ）に取り外し可能に接続されるように構成され、
前記反転可能蓋（２００ａ〜２００ｆ）の第１側（２１ａ〜２１ｅ）は、第２係合手段（２７ａ〜２７ｅ）を備える襟部（２３ａ〜２３ｅ）を備え、前記第２係合手段（２７ａ〜２７ｅ）は、前記第２係合手段（２７ａ〜２７ｅ）が前記ボトル首部（４ａ〜４ｅ）の前記第１係合手段（７ａ〜７ｅ）に係合することによって、前記反転可能蓋（２００ａ〜２００ｅ）が前記ボトル首部（４ａ〜４ｅ）の前記口部（６ａ〜６ｅ）を密封するように閉鎖することを選択的に可能にするように構成され、
前記第１側（２１ａ〜２１ｅ）とは反対側の前記反転可能蓋（２００ａ〜２００ｅ）の第２側（２２ａ〜２２ｅ）は、前記ボトル首部（４ａ〜４ｅ）と選択的に係合するように構成される第３係合手段（３０ａ〜３０ｅ）を備え、それにより、
前記第３係合手段（３０ａ〜３０ｅ）が前記ボトル首部（４ａ〜４ｅ）に係合する状態において、通り抜け通気穴（８ａ〜８ｅ）が前記反転可能蓋（２００ａ〜２００ｅ）と前記ボトル首部（４ａ〜４ｅ）との間の接合部分内に画定され、前記通り抜け通気穴（８ａ〜８ｅ）が、前記ボトル（１００ａ〜１００ｅ）の内部と雰囲気との間の連通（Ａ；Ｂ）を可能にする、再閉鎖システム。
【請求項２】
前記通り抜け通気穴（８ａ〜８ｅ）は前記ボトル首部（４ｃ；４ｄ）の自由上縁内の切り欠き部（１３ｃ；１３ｄ）であるか、又は、前記通り抜け通気穴（８ａ〜８ｅ）は前記ボトル首部（４ａ〜４ｅ）の前記周方向壁部分内に形成された穴である、請求項１に記載の再閉鎖システム。
【請求項３】
前記ボトル首部（４ａ〜４ｅ）は半径方向に延在する第１密封面（５１ａ〜５１ｅ）を備え、前記反転可能蓋（２００ａ〜２００ｅ）の前記襟部（２３ａ〜２３ｅ）は、相補的な周方向の第２密封面（３５ａ〜３５ｅ）を備え、前記第２密封面（３５ａ〜３５ｅ）は、前記反転可能蓋（２００ａ〜２００ｅ）が前記ボトル首部（４ａ〜４ｅ）に搭載され、前記第２係合手段（２７ａ〜２７ｅ）が前記第１係合手段（７ａ〜７ｅ）に係合する状態において、前記第１密封面と密封をなすように当接するように構成される、請求項１又は２に記載の再閉鎖システム。
【請求項４】
前記第３係合手段（３０ｃ〜３０ｅ）は、前記ボトル首部（４ｃ〜４ｅ）の前記周方向壁部分の内壁（１４ｃ〜１４ｅ）に係合するように構成される、軸方向および周方向に延在する当接面（５５ｃ〜５５ｅ）によって提供される、請求項１から３のいずれか一項に記載の再閉鎖システム。
【請求項５】
周方向に延在する前記当接面（５５ｄ〜５５ｅ）は、不連続に周方向に伸長して、半径方向及び軸方向に延在する少なくとも１つの窪み（５６ｄ〜５６ｅ）を形成し、少なくとも１つの前記窪み（５６ｄ〜５６ｅ）は、前記第３係合手段（３０ｃ〜３０ｅ）が前記ボトル首部（４ｃ〜４ｅ）に係合する状態において、前記通り抜け通気穴（８ｃ〜８ｅ）を形成する実質的に半径方向及び軸方向に延在する通路（Ａ，Ｂ）を画定する、請求項４に記載の再閉鎖システム。
【請求項６】
周方向に延在する前記当接面（５５ｃ〜５５ｄ）は、前記軸方向に見たとき、前記ボトル首部（４ｃ〜４ｄ）の前記自由上縁内の前記切り欠き部（１３ｃ，１３ｄ）の最大深さより低い高さを有し、それにより、前記第３係合手段（３０ｃ〜３０ｄ）が前記ボトル首部（４ｃ〜４ｄ）に係合する状態において、前記通り抜け通気穴（８ｃ；８ｄ）を形成する実質的に半径方向に延在する通路Ａが画定される、請求項４又は５に記載の再閉鎖システム。
【請求項７】
前記反転可能蓋（２００ａ；２００ｂ）の前記第３係合手段（３０ａ；３０ｂ）は、前記ボトル首部（４ａ；４ｂ）の前記第１係合手段（７ａ；７ｂ）と相補的であり、前記反転可能蓋（２００ａ；２００ｂ）の前記第３係合手段（３０ａ；３０ｂ）は、前記反転可能蓋（２００ａ；２００ｂ）の前記襟部が前記ボトル首部（４ａ；４ｂ）内の前記通り抜け通気穴（８ａ；８ｂ）を閉鎖することなく、前記第１係合手段（７ａ；７ｂ）と選択的に係合するように構成される、請求項２に記載の再閉鎖システム。
【請求項８】
前記第１及び第２係合手段（７ａ；７ｂ；２７ａ；２７ｂ）の間の有効係合領域は、前記ボトル首部（４ａ；４ｂ）の軸方向の伸長に沿って見たとき、前記ボトル首部（４ａ；４ｂ）と前記第３係合手段（３０ａ；３０ｂ）との間の有効係合領域より大きい、請求項１から７のいずれか一項に記載の再閉鎖システム。
【請求項９】
前記第１係合手段（７ａ）は、前記ボトル首部（４ａ）の前記周方向壁部分の内側包囲面（２５ａ）上に配置され、かつ、前記第２係合手段（２７ａ）は、前記反転可能蓋（２００ａ）の前記襟部（２３ａ）の外側包囲面（２６ａ）上に配置されるか、又は、前記第１係合手段（７ｂ〜７ｅ）は、前記ボトル首部（４ｂ〜４ｅ）の前記周方向壁部分の外側包囲面上に配置され、かつ、前記第２係合手段（２７ａ〜２７ｅ）は、前記襟部（２３ｂ〜２３ｅ）の内側包囲面（２５ｂ〜２５ｅ）上に配置される、請求項１から８のいずれか一項に記載の再閉鎖システム。
【請求項１０】
食品、飲料、或いは、医療又は実験室での試験のために使用される再閉鎖可能ボトル（１００ａ〜１００ｅ）における、請求項１から９のいずれか一項に記載の再閉鎖システムの使用。
【発明の詳細な説明】
【発明の詳細な説明】
【０００１】
［技術分野］
本発明は、ボトル及び反転可能蓋を備える再閉鎖システム及びそのような再閉鎖システムの使用に言及する。
［背景技術］
ボトルは、典型的には、プラスチック材料で作られ、容易な開口及び再充填を可能にするため、ねじ式キャップを備える。同じ原理は、ねじ式の蓋を使用する他のタイプのボトルに関しても知られている。
【０００２】
ボトル及び蓋が使用と使用の間に洗浄されることが重要である。同様に、洗浄後に又は使用と使用の間にボトル内に付着する何らかの液体による悪い味及び匂いを回避するために、蓋を再搭載する前にボトルが適切に乾燥されることが重要である。乾燥中、例えば、水切り籠を空にするときに、蓋が移動して無くなってしまうことが容易に起こる。また、ボトルがスポーツボトルである場合、多くのスポーツボトルが同時に使用され、そのため、使用者は、どのキャップがどのボトルに一致するかを見出さなければならない。
【０００３】
蓋がボトルに搭載された状態でボトルが格納されると、多くの場合、洗浄及び乾燥後に、悪臭が発生するというリスクもまた存在する。残留物または可塑剤がこれを引き起こす場合がある。
【０００４】
これらの問題に対する最も一般的な解決策は、上記方法に代えて、ボトルと蓋とを別々の物として格納することである。しかしながら、これは、蓋を失うリスクを増加させる。蓋を失わないようにする１つの対策は、蓋を紐又はタン（舌）でボトルに接続することである。しかしながら、これは、開口した空のボトルの重心を変えるものであり、それにより、転倒の危険があり、他の空のボトルと共に、例えば食器棚に格納する場合には、ドミノ倒しを引き起こす。同様に、チームスポーツにおいてスポーツボトルを使用するときに一般的なように、ラック内に格納すると、そのような接続された蓋は、ラック内の利用可能な空間と干渉することになる。
【０００５】
上記で述べた問題は、スポーツボトルに限定されるのではなく、一般に、保存ジャー、ランチボックス、及び一般的な容器などの他の種類の容器にも同様に当てはまる。その問題は、食品及び飲料用の容器についてだけでなく、医療用又は実験用容器などの他の用途のものについても当てはまる。
【０００６】
そこで、ボトル及びその閉鎖手段を、使用中でないときに１つの単一ユニットとして扱うことを可能にする解決策が必要とされる。
［概要］
本発明の１つの目的は、ボトルが使用中でないときに蓋をボトルに接続することができ、しかもなおボトルの適切な乾燥及び通気を可能とする、ボトル及び蓋を備えるシステムを提供することである。
【０００７】
本発明の別の目的は、ボトルが使用中でないときに、他の物と過度に干渉することなく、蓋をボトルに接続することができるシステムを提供することである。
【０００８】
本発明の別の目的は、悪い匂い及び味の発生を防止し、それにより、ボトルの長期の有効寿命を示す衛生的なボトルを提供することである。
［発明の概要］
これらの及び他の目的は、ボトル及び反転可能蓋を備える再閉鎖システムによって解決され、ボトルは、軸方向に伸長するボトル首部及びボトルの内部へのアクセスを提供する口部を備え、上記ボトル首部は、第１係合手段を備える周方向壁部分を更に備え、反転可能蓋はボトル首部に取り外し可能に接続されるように構成され、反転可能蓋の第１側は、第２係合手段を備える襟部を備え、第２係合手段は、第２係合手段がボトル首部の第１係合手段に係合することによって、反転可能蓋がボトル首部の口部を密封するように閉鎖することを選択的に可能にするように構成され、第１側とは反対側の反転可能蓋の第２側は、ボトル首部に選択的に係合するように構成される第３係合手段を備え、それにより、第３係合手段がボトル首部に係合する状態において、通り抜け通気穴が反転可能蓋とボトル首部との間の接合部分内に画定され、上記通り抜け通気穴が、ボトルの内部と雰囲気との間の連通を可能にする。
【０００９】
このタイプの再閉鎖システムによって、幾つかの利点が提供される。蓋が反転可能であるため、蓋は、蓋をひっくり返すことによって使用者の選択で２つの異なる方向でボトルに選択的に搭載され得る。通常動作中、蓋がボトルに搭載されると、蓋は口部を効果的に閉鎖することになる。ボトルが空でかつ使用中でないとき、使用者は、反転可能蓋をひっくり返し、蓋の第３係合手段をボトル首部に係合させることによって蓋をボトル首部に搭載し得る。この位置で、首部内の通り抜け通気穴は開口し、ボトルの内部が雰囲気と連通することを可能にする。それにより、使用後に又は洗浄後にボトル内に残る任意の流体又は残留物は、自由に蒸発することを許容されることになる。また、ボトルは完全に乾いているはずであるが、悪い匂い及び悪い味を引き起こす任意のガスが蒸発することを許容されることになる。悪い匂い及び悪い味は、残留物又は可塑剤によって引き起こされる場合がある。こうして、ボトルの有効寿命が延長される。更に別の利点として、蓋がボトルに取り付けられることになるため、ボトルの格納中に蓋を喪失するリスクが存在しない。また、第２の隣接するボトルに干渉する第１の空のボトルの蓋が、隣接するボトル又は物ともつれたり、それらを転倒させたりするリスクが存在しない。そうしたことは、幾つかの空のボトルを、食器棚内に、棚上に、又はラック内に格納するときにしばしば起こる。更に、時間のかかる、蓋とボトルとの組み合わせを行う必要がない。通り抜け通気穴は、実質的に半径方向に伸長するか、或いは実質的に半径方向及び／又は軸方向に伸長してもよい。伸長は、ボトル首部及び／又は蓋の設計の結果である。
【００１０】
蓋の第３係合手段は、ボトル首部の第１係合手段と相補的であってもよく、蓋の第３係合手段は、通り抜け通気穴に干渉することなく、首部の第１係合手段と選択的に係合するように構成されてもよい。
【００１１】
少なくとも第１係合手段及び第２係合手段はねじ山であってもよい。
【００１２】
通り抜け通気穴はボトル首部の自由上縁内の切り欠き部であってもよく、又はそれに代えて、通り抜け通気穴はボトル首部の周方向壁部分内に形成された穴であってもよい。切り欠き部又は穴の幾何形状が残存機能によって異なる形状を有してもよいことが理解される。切り欠き部又は穴の数が残存機能によって変更してもよいことが同様に理解される。少なくとも１つの切り欠き部又は穴が設けられるべきである。ボトル首部の自由上縁の切り欠き部の場合、ボトル首部の自由上縁の少なくとも一部分が連続であることが好ましい。それにより、そのような連続した部分は、反転可能蓋の内壁部分に対する当接面を形成してもよい。
【００１３】
ボトル首部は半径方向に延在する第１密封面を備えてもよく、反転可能蓋の襟部は、相補的な周方向の第２密封面を備えてもよく、第２密封面は、反転可能蓋がボトル首部に搭載され、第２係合手段が第１係合手段に係合する状態において、第１密封面と密封をなすように当接するように構成される。それにより、蓋とボトル首部との間の流体密封係合を提供してもよい。密封面及びそれらの位置の設計を残存機能によって変更してもよいことを当業者は理解するであろう。
【００１４】
第３係合手段は、ボトル首部の周方向壁部分の内側部分に係合するように構成される、軸方向及び周方向に延在する当接面によって提供してもよい。当接面と内壁部分との間の係合は、摩擦のみによって提供されてもよい。表面のうちの１つの表面、好ましくは当接面が摩擦増大手段を備えてもよいことが理解される。
【００１５】
周方向に延在する当接面は、不連続に周方向に伸長して、半径方向及び軸方向に延在する少なくとも１つの窪みを形成してもよく、上記少なくとも１つの窪みは、第３係合手段がボトル首部に係合する状態において、上記通り抜け通気穴を形成する実質的に半径方向及び軸方向に延在する通路を画定する。
【００１６】
周方向に延在する当接面は、軸方向に見ると、ボトル首部の自由上縁内の切り欠き部の最大深さより低い高さを有してもよく、それにより、第３係合手段がボトル首部に係合する状態において、通り抜け通気穴を形成する実質的に半径方向に延在する通路が画定される。
【００１７】
反転可能蓋の第３係合手段は、ボトル首部の第１係合手段と相補的であってもよく、反転可能蓋の第３係合手段は、反転可能蓋の襟部がボトル首部内の通り抜け通気穴を閉鎖しないように、第１係合手段と選択的に係合するように構成してもよい。
【００１８】
第１及び第２係合手段の間の有効係合領域は、ボトル首部の軸方向の伸長に沿って見ると、ボトル首部と第３係合手段との間の有効係合領域より大きくてもよい。本発明の文脈において、用語「有効係合領域」は、係合部分の間の重なり合う表面領域として解釈される。例として、係合手段がねじ山である場合、有効係合領域はねじ山の数によって決定される。そのため、第１及び第２係合手段を形成するねじ山の数は第３係合手段のねじ山の数より多くてもよい。
【００１９】
第１係合手段は、ボトル首部の周方向壁部分の内側包囲面上に配置してもよく、第２係合手段は、反転可能蓋の襟部の外側包囲面上に配置してもよい。あるいは、第１係合手段は、ボトル首部の周方向壁部分の外側包囲面上に配置してもよく、第２係合手段は、襟部の内側包囲面上に配置してもよい。
【００２０】
第１係合手段は、ボトル首部の周方向壁部分の外側部分上に配置してもよく、又は、第１係合手段は、ボトル首部の周方向壁部分の内側部分上に配置してもよい。
【００２１】
首部は、第４係合手段を更に備えてもよく、第４係合手段は、蓋の第３係合手段に選択的に係合するように構成してもよい。
【００２２】
蓋の第３係合手段及び首部の第４係合手段は、共にバヨネット継手を形成する。バヨネット継手は単純なねじり動作によって容易に操作可能であり、それにより、蓋をボトルに取り付けられたままにすることができるという利点を提供する。
【００２３】
蓋は、蓋の第１側から蓋の第２側に延在する通り抜け開口を提供するノズルを備えてもよい。ノズルは、例として、閉鎖位置と開放位置との間で軸方向に沿って閉鎖手段を移動させることによって、使用者の唇又は歯によって操作可能な再閉鎖可能ノズルであってもよい。ノズルは、例として、可撓性チューブであってもよい。更に別の例として、ノズルは、取り外し可能キャップを有する中空パイプであってもよい。多数のノズルが市場に存在し、本発明は、使用されるノズルのタイプに限定されるべきでない。
【００２４】
一実施形態において、再閉鎖システムは、ボトル及び反転可能蓋を備えるものとして説明されてもよく、ボトルは、軸方向に伸長するボトル首部及びボトルの内部へのアクセスを提供する口部を備え、上記首部は、第１係合手段を備える周方向壁部分を備え、周方向壁部分は通り抜け通気穴を更に備える。反転可能蓋は首部に取り外し可能に接続されるように構成され、蓋の第１側は、第２係合手段を備える襟部を備え、第２係合手段は、襟部が首部の周方向壁部分内の通り抜け通気穴を閉鎖しながら、第２係合手段が首部の第１係合手段に係合することによって、蓋が首部の口部を密封するように閉鎖することを選択的に可能にするように構成される。第１側の反対側である蓋の第２側は、蓋が通り抜け通気穴を閉鎖することなく、ボトル首部に選択的に係合するように構成される第３係合手段を備える。
【００２５】
別の態様によれば、本発明は、食品、飲料、或いは、医療又は実験室における試験のために使用される再閉鎖可能ボトルにおける、上述の特徴を有する再閉鎖システムの使用に言及する。
【００２６】
本発明のさらなる目的及び利点は、異なる実施形態について記述する、以下の詳細な説明を読む当業者に明らかである。
【図面の簡単な説明】
【００２７】
本発明は、概略的図面を参照して詳細に記述される。
【図１】ボトルの第１実施形態を開示する図である。
【図２】第１実施形態のボトルと共に使用されるように適合される蓋を開示する図である。
【図３】その第１側を介してボトルに搭載された蓋を開示する図である。
【図４】その第２側を介してボトルに搭載された蓋を開示する図である。
【図５】ボトルの第２実施形態を開示する図である。
【図６】第２実施形態のボトルと共に使用されるように適合される蓋を開示する図である。
【図７】その第１側を介してボトルに搭載された蓋を開示する図である。
【図８】その第２側を介してボトルに搭載された蓋を開示する図である。
【図９ａ】再閉鎖システムの第３実施形態を開示する図である。
【図９ｂ】再閉鎖システムの第３実施形態を開示する図である。
【図９ｃ】再閉鎖システムの第３実施形態を開示する図である。
【図９ｄ】再閉鎖システムの第３実施形態を開示する図である。
【図１０ａ】再閉鎖システムの第４実施形態を開示する図である。
【図１０ｂ】再閉鎖システムの第４実施形態を開示する図である。
【図１０ｃ】再閉鎖システムの第４実施形態を開示する図である。
【図１０ｄ】再閉鎖システムの第４実施形態を開示する図である。
【図１１ａ】再閉鎖システムの第５実施形態を開示する図である。
【図１１ｂ】再閉鎖システムの第５実施形態を開示する図である。
【図１１ｃ】再閉鎖システムの第５実施形態を開示する図である。
【図１１ｄ】再閉鎖システムの第５実施形態を開示する図である。
【図１２】補足的密封配置構成を開示する図である。
【発明を実施するための形態】
【００２８】
［発明の詳細な説明］
以下の説明において、第１実施形態によるボトル１００ａ及び反転可能蓋２００ａを備える再閉鎖システムが開示される。非限定的な例として、ボトル１００ａは、ボトル、スポーツボトル、又は魔法瓶であってもよい。ボトル１００ａは、食品又は飲料に適用可能であるが、医療又は実験室での試験において使用されるボトルなど、他の目的にも同様に適用可能であり得る。医療又は実験室での試験のためのボトルの典型的な例は、試験管及びフラスコである。本原理が、保存ジャー又はランチボックスなどの他の種類の容器にも同様に適用可能であることが理解される。
【００２９】
ボトル１００ａは、プラスチック材料、ガラス、又は金属によって形成してもよい。蓋２００ａは、プラスチック材料、ガラス、又は金属によって形成してもよい。ボトル１００ａ及び蓋２００ａは、１つの同じ材料によって、又は、異なる材料によって形成してもよい。ボトル１００ａ及び／又は蓋２００ａは、２つ以上の材料によって形成してもよい。
【００３０】
ここで図１を参照すると、ボトル１００ａの第１実施形態が開示される。ボトル１００ａは底壁１ａ及び側壁部分２ａを有する。側壁部分２ａは、底壁１ａと共に、区画３ａの境界を定める。ボトル１００ａは円形断面を有する円柱として開示されるが、他の断面が可能であることが理解される。また、断面に応じて、側壁部分の数が変動してもよい。
【００３１】
ボトル１００ａはボトル首部４ａを有する。ボトル首部４ａは軸方向に伸長する周方向壁部分５ａを備える。首部４ａは円形断面を有する。首部４ａはその自由端に口部６ａを有する。口部６ａは、首部４ａの軸方向の伸長に沿って延在する通り抜け開口を形成し、ボトル１００ａの内部、すなわち区画３ａに対するアクセスを提供する。
【００３２】
首部４ａの周方向壁部分５ａは、その周方向に見た場合、第１係合手段７ａを備える部分と、通り抜け通気穴８ａを備える部分とに分割される。
【００３３】
第１係合手段７ａはねじ山９ａによって形成される。ねじ山９ａは、周方向壁部分５ａの内側部分１０ａに沿って配置される。３巻のねじ山が開示される。３巻より多い巻き数を設けてもよいことが理解される。ねじ山９ａは複数のねじ山形成部分に分割されるが、ねじ山形成部分は共に、首部４ａに搭載される蓋２００ａとの連続的なねじ式係合を可能にする。ねじ山形成部分は、好ましくは、周方向に等距離に分配される。
【００３４】
通り抜け通気穴８ａはボトル首部４ａの半径方向に延在する。通り抜け通気穴８ａは半径方向に延在する穴として形成される。３つの通気穴８ａが開示される。通気穴８ａの数は少なくとも１つであってもよい。２つ以上の通気穴８ａの場合、通気穴８ａは、周方向壁部分５ａにわたって周方向に等距離に分配してもよい。通り抜け通気穴８ａが任意の断面を有してもよいことが理解される。
【００３５】
ボトル首部４ａの上縁１１ａは周方向連続縁１２ａを備える。
【００３６】
ここで図２を参照すると、反転可能蓋２００ａが開示される。蓋２００ａは、図１のボトル１００ａのボトル首部４ａに取り外し可能に接続されるように構成される。蓋２００ａは反転可能であり、蓋２００ａが、使用者の選択で、蓋２００ａをひっくり返すことによって２つの異なる方向で、ボトル１００ａに選択的に搭載され得ることを意味する。
【００３７】
蓋２００ａは、ボトル１００ａの口部６ａの断面を超える断面を有する半径方向に延在するディスク２０ａを備える。蓋２００ａは、第１側２１ａ及び反対側の第２側２２ａを有する。
【００３８】
蓋２００ａは、蓋２００ａの第１側２１ａから蓋２００ａの第２側２２ａに延在する通り抜け開口を提供するオプションのノズル５０ａを備えてもよい。
【００３９】
蓋２００ａの第１側２１ａは蓋２００ａの軸方向に延在する襟部２３ａを備える。襟部２３ａは、内側包囲面２５ａ及び外側包囲面２６ａを有する周方向側壁部分２４ａを備える。外側包囲面２６ａは第２係合手段２７ａを備える。第２係合手段２７ａは、ボトル１００ａによって提供される第１係合手段７ａと相補的である。そのため、第２係合手段２７ａは、第１係合手段７ａのねじ山９ａに嵌合する外形を有するねじ山２８ａによって形成される。蓋２００ａが、その第１側２１ａを介してボトル１００ａの首部４ａに搭載されると、有効係合領域が、第２係合手段２７ａのねじ山２８ａに係合する第１係合手段７ａのねじ山９ａによって提供される。
【００４０】
襟部２３ａは、蓋２００ａが、その第１側２１ａを介してボトル１００ａの首部４ａに搭載されると、首部４ａの周方向壁部分５ａ内の通り抜け通気穴８ａを閉鎖するのに十分であるように軸方向に伸長する。それにより、蓋２００ａは、従来の蓋として作用し、首部４ａ及びその口部６ａを漏れの無いように完全に閉鎖する。これは図３に最もよく示されている。
【００４１】
第２密封面３５ａを形成する襟部２３ａの縁２９ａは、蓋２００ａが首部４ａに搭載されると、ボトル１００ａ内の相補的な周方向の第１密封面５１ａと密封をなすように当接してもよい。第１密封面５１ａ及び／又は第２密封面３５ａは、弾性密封部材（開示せず）を備えてもよい。
【００４２】
蓋２００ａの第２側２２ａは第３係合手段３０ａを備える。第３係合手段３０ａは、蓋２００ａが通り抜け通気穴（複数可）８ａを閉鎖することなく、ボトル１００ａの首部４ａに選択的に係合するように構成される。第３係合手段３０ａはねじ山３１ａとして設けられる。開示する実施形態において、１巻のねじ山３１ａが開示される。１巻より多いねじ山３１ａを使用してもよい。蓋２００ａが、蓋２００ａの第２側２２ａを用いてボトル１００ａの首部４ａに搭載されると、有効係合領域が、第１係合手段７ａのねじ山９ａに係合する第３係合手段３０ａのねじ山３１ａによって提供される。
【００４３】
ここで図４を参照すると、ボトル１００ａは、蓋２００ａが、その第２側２２ａを介してボトル１００ａに搭載された状態で開示される。この位置で、蓋２００ａはボトル１００ａに取り付けられるものの、通気穴８ａは開口したままとなる。それにより、通気穴８ａは、半径方向に（矢印Ａ）延在する自由通路を提供し、区画３ａの内部が雰囲気と連通することを可能にする。使用後に又はボトル１００ａを洗浄した後にボトル１００ａ内に残る任意の流体又は残留物は、通気穴８ａを通って自由に蒸発することを許容されることになる。ボトル１００ａは完全に乾いているはずであるが、残留物又は可塑剤によって引き起こされる悪臭又な悪い味をもたらす任意のガスは、蒸発することを許容されることになる。それにより、ボトル１００ａの有効寿命が延長されることになる。また、任意の残留物が生体物質の成長を引き起こすリスクが大幅に低減される。更に別の利点として、蓋２００ａがボトル１００ａに取り付けられることになるため、ボトル１００ａを格納する間に、蓋２００ａを喪失するリスクが存在しない。
【００４４】
ここで図５を参照すると、ボトル１００ｂの第２実施形態が開示される。図５のボトル１００ｂは、首部４ｂの設計が図１のボトルと異なる。周方向壁部分５ｂは、その周方向に見ると、第１係合手段７ｂを備える部分と、通り抜け通気穴８ｂを備える部分とに分割される。首部４ｂの上縁１１ｂは周方向連続縁１２ｂを備える。
【００４５】
第１係合手段７ｂはねじ山９ｂによって形成される。ねじ山９ｂは、首部４ｂの周方向壁の外側包囲面に沿って配置される。４巻のねじ山が開示される。４巻より多い又は少ない巻数を設けてもよいことが理解される。ねじ山９ｂは複数のねじ山形成部分に分割されるが、ねじ山形成部分は共に、首部４ｂに搭載される蓋２００ｂとの連続的なねじ式係合を可能にする。ねじ山形成部分は、好ましくは、周方向に等距離に分配される。首部４ｂの内側周方向壁部分は平滑であってもよい。
【００４６】
通り抜け通気穴８ｂは首部４ｂの半径方向に延在する。２つの通気穴８ｂが開示される。通気穴８ｂの数は少なくとも１つであってもよい。２つ以上の通気穴８ｂの場合、通気穴８ｂは、周方向壁部分にわたって周方向に等距離に分配してもよい。通り抜け通気穴８ｂは任意の断面を有してもよい。
【００４７】
首部４ｂの内側包囲面は、２つの通り抜け通気穴８ｂの間の領域内に配置された第４係合手段４０ｂを備える。以下で開示される第４係合手段４０ｂは、蓋２００ｂの第３係合手段に係合するように配置される。
【００４８】
第４係合手段４０ｂは、周方向壁の内側包囲面内に配置された溝４１ｂとして形成される。溝４１ｂは、首部４ｂの自由縁に面する１つの開口端４２ｂを有するＬ形状を有するものとして開示される。他の伸長の方法が可能であることが理解される。溝４１ｂは、首部４ｂの半径方向に見たときに貫通していてもよく、又は、首部４ｂの半径方向に見たときに底を有してもよい。
【００４９】
ここで図６を参照すると、反転可能蓋２００ｂが開示される。蓋２００ｂは、図５のボトル１００ｂの首部４ｂに取り外し可能に接続されるように構成される。蓋２００ｂは反転可能であり、蓋２００ｂが、使用者の選択で、蓋２００ｂをひっくり返すことによって２つの異なる方向で、ボトル１００ｂに選択的に搭載され得ることを意味する。
【００５０】
蓋２００ｂは、第１側２１ｂ及び反対側の第２側２２ｂを有する。蓋２００ｂは、蓋２００ｂの第１側２１ｂから蓋２００ｂの第２側２２ｂに延在する通り抜け開口を提供するオプションのノズル５０ｂを備えてもよい。
【００５１】
蓋２００ｂの第１側２１ｂは蓋２００ｂの軸方向に延在する襟部２３ｂを備える。襟部２３ｂは、内側包囲面２５ｂ及び外側包囲面２６ｂを有する周方向側壁部分２４ｂを備える。内側包囲面２５ｂは第２係合手段２７ｂを備える。第２係合手段２７ｂは、ボトル１００ｂの首部４ｂ上に設けられる第１係合手段７ｂと相補的である。そのため、第２係合手段２７ｂは、第１係合手段７ｂのねじ山９ｂに嵌合する外形を有するねじ山２８ｂによって形成される。蓋２００ｂが、蓋２００ｂの第１側２１ｂを介してボトル１００ｂの首部４ｂに搭載されると、有効係合領域が、第２係合手段２７ｂのねじ山２８ｂに係合する第１係合手段７ｂのねじ山９ｂによって提供される。
【００５２】
襟部２３ｂは、蓋２００ｂが、その第１側２１ｂを介してボトル１００ｂの首部４ｂに搭載されるときに通り抜け通気穴８ｂを閉鎖するのに十分であるように軸方向に伸長する。それにより、蓋２００ｂは、従来の蓋として作用し、首部４ｂ及びその口部６ｂを漏れがないように完全に閉鎖する。これは図７に最もよく示されている。
【００５３】
ここで改めて図６を参照すると、襟部２３ｂの自由端は第２密封面３５ｂを備える。蓋２００ｂが、その第１側２１ｂを介してボトル１００ｂに搭載されると、第２密封面３５ｂは、ボトル首部４ｂの半径方向に延在する周方向縁１２ｂによって形成される第１密封面５１ｂと密封をなすように当接してもよい。ボトル首部４ｂの第１密封面５１ｂ及び／又は第２密封面３５ｂは、弾性密封部材（開示せず）を備えてもよい。
【００５４】
蓋２００ｂの第２側２２ｂは第３係合手段３０ｂを備える。第３係合手段３０ｂは、蓋２００ｂが通り抜け通気穴８ｂを閉鎖することのないように、蓋２００ｂをボトル１００ｂの首部４ｂに選択的に係合するように構成される。第３係合手段３０ｂは、半径方向に突出するピン３２ｂとして設けられる。第３係合手段３０ｂは、ボトル１００ｂの第４係合手段４０ｂ、すなわち、溝４１ｂに係合するように構成される。第３係合手段３０ｂ及び第４係合手段４０ｂは共に、バヨネット継手を形成する。
【００５５】
蓋２００ｂの第２側を介して蓋２００ｂを首部４ｂに搭載すると、ピン３２ｂは、首部４ｂの包囲面内の溝４１ｂの開口端４２ｂに挿入され、その後、蓋２００ｂは軸方向に押され、また、蓋２００ｂは回される。ピン３２ｂは、それにより、溝４１ｂに係合し、強い軸方向移動による蓋２００ｂの取り外しを防止することになる。蓋２００ｂが、蓋２００ｂの第２側２２ｂを介して首部４ｂに搭載されると、有効係合領域が、第２係合手段２７ｂの溝４１ｂに係合する第３係合手段３０ｂのピン３２ｂによって提供される。
【００５６】
ここで図８を参照すると、ボトル１００ｂは、蓋２００ｂが、その第２側２２ｂを介してボトル１００ｂに搭載された状態で開示される。この位置で、蓋２００ｂはボトル１００ｂに取り付けられるが、通気穴８ｂは開口したままとなる。それにより、通気穴８ｂは、半径方向に（矢印Ａ）延在する自由通路を提供し、区画３ｂの内部が雰囲気と連通することを可能にする。
【００５７】
ここで、図９ａ〜９ｄを参照すると、再閉鎖システムの第３実施形態が開示される。システムは、ボトル１００ｃ（図９ａ参照）及び反転可能蓋２００ｃ（図９ｂ参照）を備える。前の実施形態のように、ボトル１００ｃは、区画３ｃの境界を定める、底壁１ｃ及び側壁部分２ｃを有する。ボトル１００ｃは円形断面を有する円柱として開示されるが、他の断面が可能であることが理解される。また、断面に応じて、側壁部分の数が変動してもよい。
【００５８】
ボトル１００ｃはボトル首部４ｃを有する。ボトル首部４ｃは軸方向に伸長する周方向壁部分５ｃを備える。ボトル首部４ｃは円形断面を有する。ボトル首部４ｃはその自由端に口部６ｃを有し、口部６ｃは、軸方向の伸長に沿って延在する通り抜け開口を形成する。
【００５９】
ボトル首部４ｃの自由上縁１１ｃは通り抜け通気穴８ｃを形成する複数の切り欠き部１３ｃを備える。切り欠き部１３ｃは、任意の軸方向の伸び及び任意の断面を有してもよい。残存機能を有する１つの通り抜け通気穴８ｃを備えれば十分であることが理解される。
【００６０】
ボトル首部４ｃの周方向壁部分の外側面は、ねじ山９ｃの形態の第１係合手段７ｃを備える。第１係合手段７ｃは、軸方向において通り抜け通気穴８ｃの下、すなわち、切り欠き部１３ｃの最も低い箇所の下の位置に配置される。
【００６１】
ボトル首部４ｃの周方向壁部分の内壁１４ｃは実質的に平滑であってもよい。
【００６２】
ボトル首部４ｃは、半径方向に延在する第１密封面５１ｃを備える。第１密封面５１ｃは、軸方向において第１係合手段７ｃの下の位置に配置される。第１密封面５１ｃは以下で論じられる。
【００６３】
ここで図９ｂを参照すると、反転可能蓋２００ｃの一実施形態が開示される。蓋２００ｃは、ボトル１００ｃの口部６ｃの断面を超える断面を有する半径方向に延在するディスク２０ｃを備える。蓋２００ｃは、第１側２１ｃ及び反対側の第２側２２ｃを有する。蓋２００ｃは、蓋２００ｃの第１側２１ｃから蓋２００ｃの第２側２２ｃに延在する通り抜け開口を提供するオプションのノズル５０ｃを備えてもよい。
【００６４】
蓋２００ｃの第１側２１ｃは蓋２００ｃの軸方向に延在する襟部２３ｃを備える。襟部２３ｃは、内側包囲面２５ｃ及び外側包囲面２６ｃを有する周方向側壁部分２４ｃを備える。内側包囲面２５ｃは第２係合手段２７ｃを備える。第２係合手段２７ｃは、ボトル１００ｃの第１係合手段７ｃと相補的である。そのため、第２係合手段２７ｃは、第１係合手段７ｃのねじ山９ｃに嵌合する外形を有するねじ山２８ｃによって形成される。
【００６５】
反転可能蓋２００ｃの襟部２３ｃは、周方向に延在する第２密封面３５ｃを備える。第２密封面３５ｃは、第２係合手段２７ｃの下で内側包囲面２５ｃ上に配置される。第２密封面３５ｃは、ボトル首部４ｃの第１密封面５１ｃと相補的である。それにより、反転可能蓋２００ｃがボトル首部４ｃに搭載され、第２係合手段２７ｃが第１係合手段７ｃに係合する（図９ｃ参照）状態において、第２密封面３５ｃは、第１密封面５１ｃと密封をなすように当接し、ボトル１００ｃの流体密封閉鎖を提供する。第１密封面５１ｃ及び／又は第２密封面３５ｃは、弾性密封部材（開示せず）を備えてもよい。したがって、蓋２００ｃが、第１側２１ｃを介してボトル１００ｃに搭載されると、蓋２００ｃは、従来の蓋として作用し、ボトル首部４ｃ及びその口部６ｃを漏れの無いように完全に閉鎖する。有効係合領域が、第２係合手段２７ｃのねじ山２８ｃに係合する第１係合手段７ｃのねじ山９ｃによって提供される。
【００６６】
ここで図９ｂ及び９ｄを参照すると、蓋２００ｃの第２側２２ｃは、第３係合手段３０ｃを形成する軸方向及び周方向に延在する当接面５５ｃを備える。当接面５５ｃは連続的に周方向に伸長する。当接面５５ｃにわたって測定される直径は、通り抜け通気穴８ｃを形成する切り欠き部１３ｃの間の部分の内壁１４ｃにおいて測定されるボトル首部４ｃの内径に実質的に対応するか、又は、それよりわずかに大きい。それにより、反転可能蓋２００ｃがボトル首部４ｃに搭載され、第３係合手段３０ｃがボトル首部４ｃに係合する状態において、反転可能蓋２００ｃは、当接面５５ｃとボトル首部４ｃの内壁１４ｃとの間の摩擦のみによって、この位置に維持されることになる。当接面５５ｃ及び／又は内壁１４ｃが、当接面と首部４ｃの内壁１４ｃとの間の摩擦係合を増大させる表面特性又は半径方向に延在する肩部などの非開示の摩擦手段を備えてもよいことが理解される。
【００６７】
第３係合手段３０ｃの周方向に延在する当接面５５ｃは、軸方向に見ると、ボトル首部４ｃの自由上縁における切り欠き部１３ｃの最大深さより低い高さを有する。それにより、第３係合手段３０ｃがボトル首部４ｃに係合する状態において、通り抜け通気穴８ｃを形成する実質的に半径方向に延在する通路（矢印Ａ）が、当接面５５ｃと各切り欠き部１３ｃの最も低い箇所との間の領域に形成される。これは図９ｄにおいて最もよく示される。
【００６８】
ここで図１０ａ〜１０ｄを参照すると、再閉鎖システムの第４実施形態が開示される。第４実施形態は、蓋２００ｄの設計において第３実施形態と異なる。ボトル１００ｄの設計は、第３実施形態のボトル１００ｃと同じであり、それにより、過度の反復を回避するためにその実施形態に対して参照が行われる。
【００６９】
蓋２００ｄは、第３実施形態の蓋２００ｃと同じ全体設計を有し、軸方向及び周方向に延在し、第３係合手段３０ｄを形成する当接面の設計につき差を有する（図１０ｂ参照）。
【００７０】
蓋２００ｄの第２側２２ｄは、第３係合手段３０ｄを形成する軸方向及び周方向に延在する当接面５５ｄを備える。当接面５５ｄは、不連続に周方向に伸長する。不連続な周方向の伸長により、複数の半径方向及び軸方向に延在する窪み５６ｄを形成する。１つの窪み５６ｄで十分であることが理解される。
【００７１】
当接面５５ｄにわたって測定される直径は、切り欠き部１３ｄの間の部分の内壁１４ｄにおいて測定されるボトル首部４ｄの内径に実質的に対応するか、又は、それよりわずかに大きい。それにより、反転可能蓋２００ｄがボトル首部４ｄに搭載され、第３係合手段３０ｄがボトル首部４ｄに係合する状態において、蓋２００ｄは、当接面５５ｄとボトル首部４ｄの内壁１４ｄとの間の摩擦のみによって、この位置に維持されることになる。当接面５５ｄ及び／又は内壁１４ｄが、当接面と首部４ｄの内壁１４ｄとの間の摩擦係合を増大させる表面特性又は半径方向に延在する肩部などの非開示の摩擦手段を備えてもよいことが理解される。
【００７２】
蓋２００ｄを搭載し、第３係合手段３０ｄがボトル首部４ｄに係合すると（図１０ｄ参照）、蓋２００ｄは、窪み５６ｄがボトル首部４ｄの切り欠き部１３ｄと軸方向に並ぶように回されるべきである。それにより、窪み５６ｄ及び切り欠き部１３ｄは、上記通り抜け通気穴８ｄを形成する実質的に半径方向及び軸方向に延在する通路（矢印Ａ及びＢ）を提供することになる。
【００７３】
ここで図１０ｂ及び１０ｃを参照すると、反転可能蓋２００ｄの襟部２３ｄは、周方向に延在する第２密封面３５ｄを備える。第２密封面３５ｄは、第２係合手段２７ｄの下で内側包囲面２５ｄ上に配置される。第２密封面３５ｄは、ボトル首部４ｄの第１密封面５１ｄと相補的である。それにより、反転可能蓋２００ｄがボトル首部４ｄに搭載され、第２係合手段２７ｄが第１係合手段７ｄに係合する状態において、第２密封面３５ｄは第１密封面５１ｄと密封をなすように当接し、ボトル１００ｄの流体密封閉鎖を提供することになる。第１密封面５１ｄ及び／又は第２密封面３５ｄは、弾性密封部材（開示せず）を備えてもよい。したがって、蓋２００ｄが、第１側２１ｄを介してボトル１００ｄに搭載されると、蓋２００ｄは、従来の蓋として作用し、ボトル首部４ｄ及びその口部６ｄを漏れのないように完全に閉鎖する。有効係合領域が、第２係合手段２７ｄのねじ山２８ｄに係合する第１係合手段７ｄのねじ山９ｄによって提供される。
【００７４】
ここで図１１ａ〜１１ｄを参照すると、再閉鎖システムの第５実施形態が開示される。第５実施形態は、ボトル首部４ｅ（図１１ａ参照）及び蓋２００ｅ（図１１ｂ参照）の設計において第３実施形態と異なる。
【００７５】
ボトル１００ｅの設計は、第３実施形態のボトル１００ｃと実質的に同じであり、ボトル首部４ｅが、その周方向側壁において通り抜け開口又は切り欠き部を欠くという差を有する。代わりに、ボトル首部の自由上縁は連続的である。ボトル１００ｅの設計の過度の反復を回避するために第３実施形態のボトルに対して参照が行われる。
【００７６】
蓋２００ｅの設計は、第４実施形態の蓋２００ｄと同じである。すなわち、蓋２００ｅの第２側２２ｅは第３係合手段３０ｅを形成する、軸方向及び周方向に延在する当接面５５ｅを備える。当接面５５ｅは、不連続に周方向に伸長する。不連続な周方向の伸長により、半径方向及び軸方向に延在する複数の窪み５６ｅを形成する。１つの窪み５６ｅで十分であることが理解される。
【００７７】
当接面５５ｅにわたって測定される直径は、内壁１４ｅにおいて測定されるボトル首部４ｅの内径に実質的に対応するか、又は、それよりわずかに大きい。それにより、反転可能蓋２００ｅがボトル首部４ｅに搭載され、第３係合手段３０ｅがボトル首部４ｅ内の第１係合手段７ｅに係合する状態において、蓋２００ｅは、当接面５５ｅとボトル首部４ｅの内壁１４ｅとの間の摩擦のみによって、この位置に維持されることになる。当接面５５ｅ及び／又は内壁１４ｅが、当接面と首部４ｅの内壁１４ｅとの間の摩擦係合を増大させる表面特性又は半径方向に延在する肩部などの非開示の摩擦手段を備えてもよいことが理解される。
【００７８】
蓋２００ｅを搭載し、第３係合手段３０ｅがボトル首部４ｅに係合すると（図１１ｄ参照）、窪み５６ｅは、上記通り抜け通気穴８ｅを形成する実質的に軸方向に延在する通路（矢印Ａ）を提供することになる。第４実施形態と比較した第５実施形態の一つの利点は、窪み５６ｅをボトル首部４ｅ内の何らの切り欠き部とも整列させる必要がないことである。
【００７９】
反転可能蓋２００ｅの襟部２３ｅは、その自由下縁に、周方向に延在する第２密封面３５ｅを備える。第２密封面３５ｅは、第２係合手段２７ｅの下で内側包囲面２５ｅ上に配置される。第２密封面３５ｅは、ボトル首部４ｅの第１密封面５１ｅと相補的である。それにより、反転可能蓋２００ｅがボトル首部４ｅに搭載され、第２係合手段２７ｅが第１係合手段７ｅに係合する（図１１ｃ参照）状態において、第２密封面３５ｅは、第１密封面５１ｅと密封をなすように当接し、ボトル１００ｅの流体密封閉鎖を提供することになる。第１密封面５１ｅ及び／又は第２密封面３５ｅは、弾性密封部材（開示せず）を備えてもよい。したがって、蓋２００ｅが、第１側２１ｅを介してボトル１００ｅに搭載されると、蓋２００ｅは、従来の蓋として作用し、ボトル首部４ｅ及びその口部６ｅを漏れのないように完全に閉鎖する。有効係合領域が、第２係合手段２７ｅのねじ山２８ｅに係合する第１係合手段７ｅのねじ山９ｅによって提供される。任意の選択により、蓋２００ｅが、第１側２１ｅを介してボトル１００ｅに搭載されると、ボトル首部の連続する自由上縁が、蓋２００ｅのディスクの内側面と密封をなすように当接してもよい。
【００８０】
ここで図１２を参照すると、ボトル首部と反転可能蓋との間の補足的密封配置構成が、極めて概略的に開示される。密封配置構成は、前記の実施形態の任意の実施形態に、特に、第３、第４、及び第５実施形態に直接適用可能であってもよい。蓋２００ａ〜２００ｅ及びボトル首部４ｃ〜４ｅの、以下で述べるもの以外の全ての特徴及び態様は上述のものと同じでもよく、参照によって含まれる。この実施形態において、蓋２００ｆは補足的内側襟部２３０を備える。内側襟部２３０は、周方向に、また、連続的に軸方向に伸長し、外側襟部２３ｆから或る半径方向距離に配置される。それにより、半径方向に延在するギャップ２３１が設けられ、ギャップ２３１は、蓋２００ｆがボトル首部４ｆに搭載されると、ボトル首部４ｆの少なくとも一部分を含むように構成される。ボトル首部４ｆの内壁１４ｆは、半径方向に延在する第３密封面２３２を備える。蓋２００ｆの襟部２３ｆは、その内壁上にねじ山２８ｆの形態の第２係合手段２７ｆを備え、ボトル首部４ｆの外壁上のねじ山９ｆの形態の第１係合手段７ｆとのねじ式係合を可能にする。蓋２００ｆがボトル首部４ｆに対してねじ込まれ、第１係合手段７ｆが第２係合手段２７ｆに係合すると、補足的内側襟部２３０の自由縁２３３は、第３密封面２３２と密封をなすように当接することになる。それにより、蓋２００ｆとボトル首部４ｆとの間の漏れのない係合が提供される。非開示の弾性密封部材が、第３密封面２３２と自由縁２３３との間の接合部分に配置されてもよい。
【図１】
2020523110.tif 000003
【図２】
2020523110.tif 000004
【図３】
2020523110.tif 000005
【図４】
2020523110.tif 000006
【図５】
2020523110.tif 000007
【図６】
2020523110.tif 000008
【図７】
2020523110.tif 000009
【図８】
2020523110.tif 000010
【図９ａ】
2020523110.tif 000011
【図９ｂ】
2020523110.tif 000012
【図９ｃ】
2020523110.tif 000013
【図９ｄ】
2020523110.tif 000014
【図１０ａ】
2020523110.tif 000015
【図１０ｂ】
2020523110.tif 000016
【図１０ｃ】
2020523110.tif 000017
【図１０ｄ】
2020523110.tif 000018
【図１１ａ】
2020523110.tif 000019
【図１１ｂ】
2020523110.tif 000020
【図１１ｃ】
2020523110.tif 000021
【図１１ｄ】
2020523110.tif 000022
【図１２】
2020523110.tif 000023
【国際調査報告】
2020523110.tif 000024
2020523110.tif 000025